(57)【要約】【課題】人がベッド上で睡眠するための空間の電場・磁場を低減し安定するので、健康増進に効果のある電磁波低減安定ベッドを提供する。【解決手段】電磁波を遮蔽する上側金属板および下側金属板と、前記上側金属板および下側金属板を所定間隔離間させて支持する支柱部と、上側金属板と下側金属板の間に寝台を配置する。【選択図】図１
2008012234.tif 000002
【特許請求の範囲】
【請求項１】
電磁波を遮蔽する上側金属板および下側金属板と、
前記上側金属板および下側金属板を所定間隔離間させて支持する支柱部と、
前記上側金属板と前記下側金属板の間に寝台を配置したことを特徴とする電磁波低減安定ベッド。
【請求項２】
前記上側金属板および下側金属板は、ステンレス板よりなる請求項１記載の電磁波低減安定ベッド。
【請求項３】
外部からの電磁波を受けて電気信号を発生する第１のコイルと、第２のコイルと、前記第１のコイルの電気信号を受けて前記電磁波を相殺する電気信号を第２のコイルに出力する制御手段を有する電磁波低減装置を具備することを特徴とする請求項１乃至２記載の電磁波低減安定ベッド。
【請求項４】
前記第１のコイルと前記第２のコイルは、互いに逆向きに巻回されていることを特徴とする請求項３記載の電磁波低減安定ベッド。
【請求項５】
電磁波低減装置は、さらに前記第１のコイルと前記第２のコイルの間に遮蔽板を有することを特徴とする請求項３乃至４記載の電磁波低減安定ベッド。
【発明の詳細な説明】
【技術分野】
【０００１】  本発明は、電磁波を低減する電磁波低減安定ベッドに関する。
【背景技術】
【０００２】  自然界に存在するＸ線、ガンマ線、波長の短い紫外線などの電離放射線は、遺伝子に影響を与え発がん性を持つことが知られている。携帯電話などのマイクロ波や、送電線（５０Ｈｚ・６０Ｈｚ）などの超低周波は、非電離放射線であるから遺伝子を直接傷つける作用はないとされてきたが、近年になって、送電線などから発生する低周波磁場に発がん性の可能性があることが公表されており、電離放射線と同様の影響が懸念されている。【０００３】  例えば、１９８７年に米国サビッツ博士は「２ｍＧ（ミリガウス）以上の磁場で小児白血病が１．９３倍、小児筋肉腫瘍３．２６倍」という調査結果を発表している。
スウェーデンでは、１９９２年にカロリンスカ研究所の調査の結果、アールポム博士は、北欧３国集計で「２ｍＧ以上の磁場で小児白血病が２．１倍、小児脳腫瘍１．５倍」との調査結果を発表し、低レベルでも電磁波にさらされることにより、小児白血病やがんの発生率が増加する恐れを指摘した。【０００４】  このような健康における電磁波の影響という問題から、各国では図７のように低周波電磁界に関する規制値を設けている。【０００５】  テレビパソコン画面やテレビモニターからも電磁波が発生しており、人体への影響が問題となっている。そこで米国サンフランシスコ市は、市条例で「ＶＤＴ画面から少なくとも１メートル離れて使用」、「妊婦は妊娠が判明した時点からＶＤＴ作業禁止」を義務づけ、スウェーデンでは「画面から５０センチで２．５ｍＧ以下」と具体的にＶＤＴの規格を規制している。【０００６】また、電子銃を含んだコンピューターやテレビのブラウン管は、Ｘ線、ベーター線、紫外線、赤外線、マイクロ波、短波・中波、超低周波など、広い帯域にわたる電磁波を正面だけではなく、前後左右上下の全方位に同時に発生している。これらが組み合わされて複合的に作用して人体に影響を与えるとされている。【０００７】  電子機器等から放射される電磁波に関しては、ＥＭＩ規制、ＣＩＳＰＲ（国際規格）、ＦＣＣ（米国）、電気用品取締法（日本）やＶＣＣＩ（日本）にて電磁波シールド技術などの対策を施すことで放射される電磁波のレベルを一定水準以下に抑えられている。しかし、図８に示す現在世界で一番厳しいといわれるスウェーデンのＶＤＴ規制値と、図９に示すＶＤＴ規制と家庭電器用品とを比較した数値に表されるように、私たちの家庭における環境には、電磁波の影響がまだ大きいという問題がある。【０００８】  又、近年においては、電磁波過敏症も大きな問題点のひとつになってきた。米国のウィリアム・レイ博士は電磁波過敏症の主な症状として、次のように分類している。
（１）目の症状：見にくい、目が痛い、目がうずくなど
（２）皮膚の症状：乾燥する、赤くなる、できものなど
（３）鼻の症状：鼻づまり、鼻水など
（４）顔の痛み：顔がほてる、むくむ、水泡、ヒリヒリする
（５）口の症状：口内炎、メタリックな味がする
（６）歯や顎：歯や顎の痛み
（７）粘膜の症状：乾燥、異常な渇き
（８）頭痛：単なる頭痛のみならず記憶喪失やうつ症状まで
（９）疲労：異常な疲れ、集中力の欠如
（１０）めまい：気を失いそうな感覚、吐き気
（１１）関節痛：肩こり、腕や関節の痛み
（１２）呼吸：呼吸困難、動悸
（１３）しびれ：腕や足のしびれ、まひ【０００９】  又、携帯電話が発信する電波（マイクロ波）やテレビ、ラジオ、パソコン、電子レンジ、携帯電話などの家庭電化製品から出る電磁波がペースメーカーなどの医療機器を誤動作させる危険性があることが知られている。【００１０】  特許文献１では、この高圧送電線から発生する周波数の低い電磁波がコンピュータなどの電子機器などに磁気障害を起こすため、建物外周部も含めて建物全体や建物の部分的空間などを磁気シールド材でシールドする技術が開示されている。また、精密な物理計測や生体磁気計測に対し変動磁場などは大敵であるため、多額なコストをかけて高透磁率磁性材料で数トン規模の磁気遮蔽室を形成したものもある。
【特許文献１】特開平０９−１７２２９０号公報
【００１１】  特許文献２では、送変電設備や家庭電化製品などから出る電磁波を睡眠時に極力被爆させない様にするため、ベッドの利用者が出入りする１箇所を開口して、その他部分は電磁波防護シートで覆う電磁波防止用ベッドが開示されている。
【特許文献２】特開２００２−２３８７０９号公報
【発明の開示】
【発明が解決しようとする課題】
【００１２】  人は睡眠しているときの方が起きているときよりも電磁場からの影響を受けやすいといわれている。そこで、寝室においては極力、電磁場の影響を低減することが必要で、例えば、ドイツのバウビオロギー（建築生物学）では寝室のガイドラインとして、電場は１Ｖ／ｍ未満、磁場は２０ｎＴ（０．２ミリガウス）未満とされている。【００１３】  しかしながら、このような睡眠環境を実現するために建物外周部も含めて建物全体や建物の部分的空間などを磁気シールド材でシールドする場合、多額なコストを要するという問題があった。また、建物の壁部を磁気シールド材で形成し、外来の電磁波は防護できてもテレビ、ラジオ、パソコン、電子レンジ、携帯電話など室内から発生する電磁波は防護できないなどの問題があった。
さらに、ベッドを利用者の出入り箇所のみを開口してその他部分を電磁波防護シートで覆えば、利用者は局所における圧迫感を感じて快適な睡眠を妨害するなどの問題点があった。【００１４】  本発明は、上述のような従来の問題点を解決し、人がベッド上で睡眠するための空間の電場・磁場を低減し安定することにより、電磁波による人体の影響を軽減できるようにした電磁波低減安定ベッドを提供することにある。
【課題を解決するための手段】
【００１５】上記の課題を解決するために、本発明請求項１記載の発明は、電磁波を遮蔽する上側金属板および下側金属板と、前記上側金属板および下側金属板を所定間隔離間させて支持する支柱部と、前記上側金属板と前記下側金属板の間に寝台を配置したことを特徴とする。【００１６】請求項２記載の発明にあっては、請求項１記載の発明において、前記上側金属板および下側金属板がステンレス板よりなることを特徴とする。【００１７】請求項３記載の発明にあっては、請求項１乃至請求項２記載の発明において、外部からの電磁波を受けて電気信号を発生する第１のコイルと、第２のコイルと、前記第１のコイルの電気信号を受けて前記電磁波を相殺する電気信号を第２のコイルに出力する制御手段を有する電磁波低減装置を具備することを特徴とする。【００１８】請求項４記載の発明にあっては、請求項３記載の発明において、前記第１のコイルと前記第２のコイルは、互いに逆向きに巻回されていることを特徴とする。【００１９】請求項５記載の発明にあっては、電磁波低減装置は、さらに前記第１のコイルと前記第２のコイルの間に遮蔽板を有することを特徴とする。
【発明の効果】
【００２０】  本発明によれば、ベッド上の空間の電場、磁場を低減して安定することから、電磁波による人体の影響を軽減できる。
【発明を実施するための最良の形態】
【００２１】  以下、本発明の電磁波低減安定ベッドの実施の形態を図１ないし図５を参照して詳細に説明する。
図１は、本発明による電磁波低減安定ベッドの外観を示す図である。
電磁波低減安定ベッドは、人が横たわる寝台部１と天蓋部２が支柱部３により支えられており、寝台部１と天蓋部２の間に電磁波低減空間が形成されている。支柱部３の一つには電磁波低減装置４が設けられている。【００２２】  寝台部１は、支持枠１１が長辺と短辺それぞれ２本の支持部材を組み合わせて四角形の枠に構成し、４隅が支柱部３に固定されて床面より約４５ｃｍ上方の位置に支持されている。
支持枠１１は図２に示す断面図のように、下側ステンレス板１２と人体を支える框格子１３を載置するために段部１１Ａ、１１Ｂが設けられている。【００２３】  下側ステンレス板１２は、厚さ４ｍｍの平板であり、支持枠１１の段部１１Ａに支持枠１１で構成された内側開口部を塞ぐように設置されている。
下側ステンレス板１２は、後述するようにその端部の１箇所には電磁波低減装置４と電気的に接続されている。
下側ステンレス板１２の上段には、框格子１３が支持枠１１の段差部１１Ｂに載置されている。【００２４】  天蓋部２は図１に示すように、長辺と短辺それぞれ２本の支持部材を組み合わせて四角形の枠体として構成し４隅を支柱部３に固定されて床面より約１５５ｃｍの位置に支持されている。
支持枠２１は図３に示す断面図のように、上側ステンレス板２２と籐張りの天井２３を載置するために段差２１Ａ、２１Ｂが設けられている。【００２５】上側ステンレス板２２は、厚さ４ｍｍの平板であり、支持枠２１の段差部２１Ａに支持枠２１で構成された内側開口部を塞ぐように載置されている。
上側ステンレス板２２の下段には、籐張りの天井が支持枠２１の段差部２１Ｂに載置されている。
上側ステンレス板２２は後述するようにその端部の１箇所には電磁波低減装置４と電気的に接続されている。【００２６】  図４は、本発明の電磁波低減安定ベッドの電気的な接続を示す構成図である。
上側ステンレス板２２及び下側ステンレス板１２は支柱部３に取り付けられている電磁波低減装置４に電気的に接続されている。【００２７】  図５は、電磁波低減装置４の構成を示す図である。
電磁波低減装置４は、外部からの到来する電磁波を受けて電気信号を発生する第１コイル４１と、電磁波を発生する第２コイル４２と、前記第１コイル４１、第２コイル４２と接続して電気信号を制御する制御手段４３から構成されている。
第１コイル４１と第２コイル４２の間には、金属の遮蔽板４４が設けられて第１コイル４１と第２コイル４２の間の電磁波の通過が遮蔽されている。
制御手段４３は、上側ステンレス板２２及び下側ステンレス板１２にも接続されている。【００２８】  次に本発明の電磁波低減安定ベッドが電磁波を低減する動作について説明する。
上側ステンレス板２２及び下側ステンレス板１２は、ベッド上部及び下部からの電磁波を反射し一部は吸収するとともに、両ステンレス板に挟まれた空間の磁束密度を低減する。【００２９】  電磁波低減装置４の第１コイル４１は外部からの電磁波を受け、電磁波による電場及び磁場の変動により誘導起電力を発生する。第１コイル４１にて発生した電圧の変化は制御手段４３により相殺する電気信号に変換されて第２コイル４２に印加される。【００３０】  第２コイル４２は、第１コイル４１と逆向きに巻回されており、制御手段４３から出力された電気信号により外部からの電磁波を相殺する電磁波を外部に対して発生する。第２コイル４２にて発生した電磁波の一部は、上側ステンレス板２２及び下側ステンレス板１２間の空間に放射されるが、遮蔽板４３により遮られるため第１コイル４１へは影響しない。【００３１】  さらに、制御手段４３から、第１コイル４１と逆位相の電圧を下側ステンレス板１２及び上側ステンレス板２２に印加する。
ここで、制御手段４３から、第１コイル４１と逆位相の電圧を下側ステンレス板１２及び上側ステンレス板２２に印加する理由について説明する。【００３２】  第１コイル４１で検出された電圧変化と逆位相の電圧を制御手段４３から下側ステンレス板１２及び上側ステンレス板２２に印加することで、上側ステンレス板２２、下側ステンレス板１２間に外部からの電磁波にて生じる電界を相殺する電界を発生させる。これにより、下側ステンレス板１２及び上側ステンレス板２２の間の空間の電界及び磁界のレベルを低減・安定化することができる。【００３３】  次に、本発明による電磁波低減安定ベッドによる電磁波低減による電場及び磁場の低減効果を測定した結果を示す。
測定器は、ドイツ  ファウザー社のフィールドメータＦＭ６Ｔを使用して測定した。
測定した位置は図１に示すＡ，Ｂ，Ｃ、Ｄの各点である。【００３４】測定結果は図６に示すとおり、上側ステンレス板２２及び下側ステンレス板１２の間の中央の位置であるＣ点では、電場は０１．〜０．２Ｖ／ｍ、磁場は１０〜１２ｎＴとなり、電場は１Ｖ／ｍ未満、磁場は２０ｎＴ未満が達成されている。その他の位置においても同様の効果が得られた。【００３５】  尚、ベッド周辺で測定した結果は、電場は３．５〜５．８Ｖ／ｍ、磁場は１８〜２２ｎＴであった。
【図面の簡単な説明】
【００３６】
【図１】本発明による電磁波低減安定ベッドの外観を示す図である。
【図２】支持枠１１の断面を示す図である。
【図３】支持枠２１の断面を示す図である。
【図４】本発明の電磁波低減安定ベッドの電気的な接続を示す図である。
【図５】本発明の電磁波低減装置とステンレス板と接続を示す図である。
【図６】実験結果を示す図である。
【図７】低周波電磁界に関する規制値を示す図表である。
【図８】スウェーデンのＶＤＴ規制値を示す図表である。
【図９】ＶＤＴ規制と家庭電器用品とを比較した数値を示す図表である。
【符号の説明】
【００３７】  １  寝台部
１１  支持枠
１２  下側ステンレス板
２  天蓋部
２１  支持枠
２２  上側ステンレス板
３  支柱部
４  電磁波低減装置
４１  第１コイル
４２  第２コイル
４３  制御手段
４４  遮蔽板
【図１】
2008012234.tif 000003
【図２】
2008012234.tif 000004
【図３】
2008012234.tif 000005
【図４】
2008012234.tif 000006
【図５】
2008012234.tif 000007
【図６】
2008012234.tif 000008
【図７】
2008012234.tif 000009
【図８】
2008012234.tif 000010
【図９】
2008012234.tif 000011